(57)【要約】      （修正有）【課題】１つのディスプレイの映像表示部にて、地図及び広告の映像表示を同時に実施する携帯電話における広告映像付ナビゲーション機器を提供する。【解決手段】携帯電話本体１には、表面の上部にナビゲーションの地図を表わす映像表示部２と、該映像表示部２の外周に広告専用のモニタースペース３とを装設し、且つ該携帯電話本体１には、内部に広告の記憶装置を収納すると共に、マルチ映像表示機能装置を装設した事を特徴とした携帯電話における広告映像付ナビゲーション機器である。【選択図】図１
0003148604.tif 000002
【実用新案登録請求の範囲】
【請求項１】
現在の携帯電話のナビゲーションは、ＧＰＳを利用した地図表示装置のシステムを本体機器に持つもので、本来の目的であるナビゲーションの地図を映像表示する（以下「モニター」という）のとは別に、広告を一部該モニターに映像表示をして広告を行うシステムを持ったナビゲーション機器で、既に開発されているマルチ映像表示（多チャンネル映像表示）機能装置を装着することによって、同時に別々の映像内容を１枚のモニターに映像表示（音声を含む）されるようにして、ナビゲーションの映像表示時間と同時間、新しい広告の映像表示を外周部の広告専用モニタースペースに映像表示をするシステム（以下「バナー広告」という）を持つもので、１枚のモニターにて地図及び広告の映像表示を同時に行うことが出来る装置を持ったアドナビゲーション機器。
【考案の詳細な説明】
【技術分野】
【０００１】  本考案は、現在使用されている携帯電話に映像表示されているナビゲーションシステムは、携帯電話本体（１）に設置されている映像表示機器であるモニター部分に地図を表示しているが、新しく該モニターにバナー広告を出来る装置を持ったアドナビゲーション機器で、地図と広告を同時に映像表示することが出来るものであり、その該アドナビゲーション機器には、地図用映像表示装置であるモニターを設置し、該モニターの内、中央部分に地図映像を表示するモニター（２）とし、外周の帯状部分に広告専用の画像を表示するモニター部分（３）を設け、地図と同時に広告用映像が映像表示できるようにして、尚、広告用映像表示が本来の地図映像表示に支障にならないように広告用映像と音声を調節した地図映像と広告映像を同時に行うことが出来る広告表示映像付ナビゲーション機能機器。
【背景技術】
【０００２】  一般に、現在のナビゲーション映像表示は、単に地図のみの表示をしているのがほとんどであり、複合的なシステムを利用していない。
【考案の開示】
【考案が解決しようとする課題】
【０００３】  従来の携帯電話機能では、地図の映像表示のみのナビゲーション機器であり、携帯電話モニターに検索をする都度バナー広告が出て、携帯電話機能の多機能化を図っているものの、ナビゲーションの地図にはそのようなバナー広告の表示がなされていない。本考案は、従来のナビゲーションの地図表示モニターに追加して広告用映像表示をして広告収入を得ることでより多機能化を図るのものである。
【課題を解決するための手段】
【０００４】  上記目的を解決するために、本考案のアドナビゲーション機器は、ナビゲーション地図の映像表示部分の外周帯状部分にバナー広告である広告専用映像が映し出されるように設営したマルチ映像表示装置を設置して、地図が映像表示されるのと同時に、広告用映像が同時に映し出されるものである。
【考案の効果】
【０００５】  現在行われているナビゲーション地図を映像表示する他に、該モニターにバナー広告として広告を放映して、広告収入を新しく得るものである。
【考案を実施するための最良の形態】
【０００６】  本考案の最良の用法を説明すると、携帯電話のナビゲーションの地図がモニターに映像表示された時、あらかじめバナー広告として記憶していたメモリーが稼動し、同時にマルチ映像表示装置が稼動して、地図とバナー広告の２種類の映像が該モニターに映像表示されるものである。
【実施例】
【０００７】  本考案の実施例を図面について説明すると、図１には、携帯電話本体（１）、ナビゲーションの地図の映像が表示されるモニター（２）、広告専用映像表示が可能なモニター部分（３）、地図の映像表示が（２）になされると自動的に（３）の部分に広告が表示されるようにした記憶装置のチップ（４）が稼動し、同時にマルチ映像表示機能装置（５）が稼動して、同時に２種類の映像である地図とバナー広告の映像が表示されるのものである。
【図面の簡単な説明】
【０００８】
【図１】アドナビゲーション機器の装置装着製作正面図
【図２】アドナビゲーション機器の装置装着製作側面図
【符号の説明】
【０００９】１    携帯電話本体
２    ナビゲーションの地図が映像表示されるモニター中央部分
３    広告専用の帯状のモニター外周部分
４    広告を記憶するチップ
５    マルチ映像表示機能装置
【図１】
0003148604.tif 000003
【図２】
0003148604.tif 000004
【手続補正書】
【提出日】平成20年11月11日(2008.11.11)
【手続補正１】
【補正対象書類名】実用新案登録請求の範囲
【補正対象項目名】全文
【補正方法】変更
【補正の内容】
【実用新案登録請求の範囲】
【請求項１】
携帯電話本体（１）には、表面の上部にナビゲーションの地図を表わす映像表示部（２）と、該映像表示部（２）の外周に広告専用のモニタースペース（３）とを装設し、且つ該携帯電話本体（１）には、内部に広告の記憶装置（４）を収納すると共に、マルチ映像表示機能装置（５）を装設した事を特徴とした携帯電話における広告映像付ナビゲーション機器。
【手続補正２】
【補正対象書類名】明細書
【補正対象項目名】全文
【補正方法】変更
【補正の内容】
【考案の詳細な説明】
【技術分野】
【０００１】  本考案は、携帯電話のナビゲーションの映像表示時間と同時間に新しい広告の映像表示をするバナー広告を持つもので、１枚のディスプレイの映像表示部にて、地図及び広告の映像表示を同時に実施する携帯電話における広告映像付ナビゲーション機器に関するものである。
【背景技術】
【０００２】  現在使用されている携帯電話に映像表示されているナビゲーション映像表示は、単に地図のみの表示をしているものが一般的であり、他のシステムは何等利用されない現状である。
【考案の開示】
【考案が解決しようとする課題】
【０００３】  上記従来の携帯電話機能では、地図の映像表示のみのナビゲーション機器であり、携帯電話モニターに検索をする都度バナー広告が出て、携帯電話機能の多機能化を図っているものの、ナビゲーションの地図には、バナー広告の表示がなされていないものである。  本考案は、従来の技術の有する問題に鑑みてなされたものであり、その主たる目的とする所は、従来のナビゲーションの地図表示モニターに追加して広告用映像表示部を装設して広告による営業上の多機能化を図ったものである。  また、ナビゲーションの映像表示部によって、地図と広告を同時に映像表示することが出来るものであり、該ナビゲーションには、地図用映像表示装置であるモニターを設置し、モニター内の中央部分に地図映像を表示するモニターとし、外周の帯状部分に広告専用の画像を表示するモニター部を設け、地図と同時に広告用映像が映像表示できるようにしたものである。
【課題を解決するための手段】
【０００４】  上記目的を達成するために、本考案の携帯電話本体には、ナビゲーションの地図を表わす映像表示部を設け、且つ該映像表示部の外周に帯状部分よりなる広告専用の映像のモニタースペースを装設してある。更に、携帯電話本体には、内部に広告の記憶装置とマルチ映像表示機能装置を収納装設してある。また、地図が映像表示されると同時に、広告用の映像が同時に映し出されるようにしたものである。
【考案の効果】
【０００５】  本考案は、上記詳述した通りの構成であるので、従来の如く、ナビゲーションの地図のみを映像表示する装置と異なり、小型である携帯電話本体に映像表示部の外周にモニタースペースを装設したので、同時にモニターにバナー広告としての広告放映ができる便利な効果がある。  また、該携帯電話本体の内部に装設した広告の記憶装置と、マルチ映像表示機能装置とによっては、ナビゲーションの地図がモニターに映像表示された時に、広告専用のモニタースペースにバナー広告として記憶しているメモリーも確実に稼動し、地図とバナー広告との２種類の映像が表示されると云う便利な効果がある。
【考案を実施するための最良の形態】
【０００６】  本考案の最良の形態を説明すると、携帯電話本体のナビゲーションの映像表示部の地図がモニターに映像表示された時は、予めバナー広告として記憶していたメモリーが稼動し、それと同時にマルチ映像表示機能装置が稼動して、地図とバナー広告との２種類の映像が該モニターに映像表示されるものである。
【実施例】
【０００７】  次に、実施例を図面について説明すると、携帯電話本体（１）には、表面の上方部分にナビゲーション地図の映像表示部（２）を装設する。該映像表示部（２）には、外周の上部に広告専用の帯状のモニタースペース（３）を装設する。また、該映像表示部（２）には、地図とモニタースペース（３）の広告の映像表示を同時に行うことが出来るようになっている。  また、該携帯電話本体（１）には、内部に自動的に外周の広告専用のモニタースペース（３）を稼動する記憶装置（４）を収納配設してある。  更に、該携帯電話本体（１）の内部には、該記憶装置（４）の下方に多チャンネル映像表示が出来るマルチ映像表示機能装置（５）を収納装設したものである。
【図面の簡単な説明】
【０００８】
【図１】本考案の全体の正面図である。
【図２】同じく本考案の内部を開示した縦断側面図である。
【符号の説明】
【０００９】１    携帯電話本体２    映像表示部３    モニタースペース４    記憶装置５    マルチ映像表示機能装置